Podtech/llm-jp-corpus-v4-ja_patent huggingface dataset:
(57)【要約】【課題】  カットウイッグのミドルゾーンのみを染色または染毛した毛髪を植毛したスリーセクションカット用カットウイッグ。【解決手段】  スリーセクション用カットウイッグは頭髪全体をトップゾーン、ミドルゾーン、ローゾーンに三分割し、ミドルゾーンをトップゾーン及びローゾーンとは異なる色にしたことを特徴とするカットウイッグ。【選択図】図１
2010022778.tif 000002
【特許請求の範囲】
【請求項１】
理容・美容師用の頭髪のカット技術を習得するためのカット用ウイッグにおいて、頭髪全体をトップゾーン・ミドルゾーン・ローゾーンに三分割し、ミドルゾーンをトップゾーン及びローゾーンとは異なる色にしたことを特徴とするスリーセクションカット用カットウイッグ。
【発明の詳細な説明】
【技術分野】
【０００１】本発明はマネキン人形の頭部に髪を備えた理容・美容の技術を習得するために使われるカット練習用ウイッグに関する。
【背景技術】
【０００２】従来の頭部に着脱するカツラや人形の頭部等に植毛する人毛や人工毛等の毛髪は一般的に頭部全体が単色の毛髪で植毛を構成されている。また、カツラや人毛にスプレー等によって表面を染色することも行われている。理容・美容の技術を習得するために複数色の毛髪を備えたマネキンヘッドは下記文献に出願されている。
【特許文献１】登録実用第３０７５３６４号公報
【発明の開示】
【発明が解決しようとする課題】
【０００３】  従来行われているスリーセクションカット法では、頭髪全体を三分割したと考えておよその区画を想定して、カットをしていた。しかしながら、この従来の方法では、区分けの位置が不明瞭でカット中にどの毛髪がどの位カットされているかは判断し難いためカットし過ぎたり、全体をバランス良くカットすることが容易には出来なかった。一方、特許文献１は区分けのために複数の色の毛髪を植毛して、なおかつ、着脱可能なマネキンヘッドであるが、カット練習用にも使えるとの記述はあるがその具体的な使い方などの記述されていないし、現代のスリーセクションカット法に利用するには少し複雑すぎるし、コストも高くつく。これらの問題点を解決し、スリーセクションカット法に最も適したカットウイッグを開発する事を本発明の課題とした。
【課題を解決するための手段】
【０００４】  上記課題を解決するために、本発明のスリーセクションカット用カットウイッグは、頭髪全体をトップゾーン・ミドルゾーン・ローゾーンに三分割し、ミドルゾーンをトップゾーン及びローゾーンとは異なる色にしたことを特徴とする。
【発明の効果】
【０００５】  本発明はミドルゾーンの毛髪の色を変える事により頭部が明確に三分割に色分けされる。これにより、単色のカットウイッグだと見えなかったカットラインが容易に見えてくる為、初心者はもとより理容・美容師のカット練習用ウイッグとして、カット状態やバランスを確認しながらカットする事が出来る。
【発明を実施するための最良の形態】
【０００６】  本発明の実施の形態について、実施例に基づき以下図面を参照しつつ詳細に説明する。  図１はこの発明のスリーセクションカット用カットウイッグの色分けしたミドルゾーンの境界線を描いた説明図である。図２は図１の後頭部の説明図である。
【実施例】
【０００７】  実施例では、市販のカットウイッグを利用した。  図１に示すように、ミドルゾーン〔前額髪際偶部Ａ〜その延長線上Ａ′、側頭髪際Ｂ〜その延長線上Ｂ′〕を決めて、トップゾーン及びローゾーンの頭髪に影響が無い様に保護した上で、ミドルゾーンのみを脱色する。そのことによりミドルゾーンのみが脱色されているのでトップゾーン及びローゾーンの頭髪の色と異なる色になる。この脱色したままの色が見やすい色である場合は、他の色に着色しなくてもよい。実施例では市販のカットウイッグ（黒色）を利用したためにミドルゾーンを脱色したままの色とした。しかし、カットウイッグを製造する場合には、積極的には見やすい色に染色された毛髪を植毛してもよい。【０００８】  このように頭部が三分割に色分けされたカットウイッグを使ってカットの練習をする方法を説明する。  まず図１のＢ−Ｂ′のラインに沿ってミドルゾーンの頭髪をピンなどで留めてから、ローゾーンのカットを開始する。このミドルゾーンの頭髪は異なる色なのでピンを留める位置は誰がやっても、同じ位置になる。また、ローゾーンのカットをする場合には異なる色のミドルゾーンの頭髪をカットしてしまうことも無い。【０００９】  次にミドルゾーンを留めていたピンはずし、同じようにＡ−Ａ′のラインに沿ってトップゾーンの頭髪をピンなどで留める。そのうえで、ミドルゾーンをカットしていくが、カットする髪の色はトップゾーンの頭髪の色とは容易に識別できるので、誤ってトップゾーンの頭髪をカットしてしまうことも無い。最後にトップゾーンのカットをして全体の形を整える。【００１０】  このように、ウイッグのミドルゾーンだけの頭髪の色をトップゾーン及びローゾーンの頭髪の色と異なる色にする事により、単色のカットウイッグでは見えなったラインが一目で分かるようになるので、スリーセクションカットが大変理解しやすくなるし、そのカット方も容易に習得できる。
【図面の簡単な説明】
【００１１】
【図１】  本発明の側面の説明図である。
【００１２】
【図２】  本発明の後頭部の説明図である。
【符号の説明】
（１）ローゾーン
（２）ミドルゾーン
（３）トップゾーン
Ａ  前額髪際偶部
Ａ′前額髪際偶部の延長線上
Ｂ  側頭髪際
Ｂ′後頭隆起
【図１】
2010022778.tif 000003
【図２】
2010022778.tif 000004
(57)【要約】【課題】本発明は、食事の際に飲食物を入れるための食器である。食べ終わり、「おかわり」をしたいとき、または飲み終わり、周りの人間に食器にもう一杯を入れてほしいとき、または食器を下げて欲しいとき、通常は手を上げたり声をかけたりするが、手間がかかるため、置いておくだけで意思表示ができる食器を提供する。【手段】食器の外側か内側、または両方に「おかわり」、「もう一杯」、「食器を下げて欲しい」などを意味する言葉や模様を入れる。【選択図】図１
2010022779.tif 000002
【特許請求の範囲】
【請求項１】
食器の内側か外側、または両方に「おかわり」や「もう一杯」という言葉やそれらを意味する言葉か模様、または両方を入れ、それを見せることで周りに意思表示ができる食器。
【請求項２】
食器の内側か外側、または両方に「食器を下げて欲しい」という言葉やそれを意味する言葉か模様、または両方を入れ、それを見せることで周りに意思表示ができる食器。
【請求項３】
食器の内側か外側、または両方に「おかわり」や「もう一杯」という言葉やそれらを意味する言葉か模様、または両方と「食器を下げて欲しい」という言葉やそれを意味する言葉か模様、または両方を入れ、どちらかを選び、見せることで周りに意思表示ができる食器。
【発明の詳細な説明】
【技術分野】
【０００１】  本発明は、飲食物を入れるための食器であって、意思表示ができる食器に関するものである。
【背景技術】
【０００２】  従来、食事をするとき、飲食物を食器に入れるということがなされている。
【発明の開示】
【発明が解決しようとする課題】
【０００３】  飲食物を食器に入れて食事をするとき、次のような問題点があった。
例えば、飲食店において、食器に入っている飲食物、例えば、コップに入っている水を飲み終わり、もう一杯ほしいとき、店員に声をかけなければならず、手間がかかる。
本発明は、以上の問題を解決し、意思表示ができるようになされたものである。
【課題を解決するための手段】
【０００４】  食器の外側、または内側に「おかわり」、「もう一杯」、「食器を下げて欲しい」などを意味する言葉、模様を入れる。
本発明は、以上の構成によりなる意思表示ができる食器である。
【発明の効果】
【０００５】  飲み終わったとき、または食べ終わったとき、文字または模様が入っている部分を周りに見えるように置いておくだけで意思表示ができるので、例えば、飲食店やオフィスでは、手を上げたり声をかけたりすることなく、「おかわり」、「もう一杯」、「食器を下げて欲しい」の意思表示ができる。また、上記以外の場所でも静かに作業をしているときなどにも有効である。
【発明を実施するための最良の形態】
【０００６】  以下、本発明の実施の形態を説明する。
ガラスやプラスチックなどからなる食器（１）の外側、または内側に、インクなどによって「おかわり」、「もう一杯」、「食器を下げて欲しい」を意味する言葉、または模様（２）を入れる。
本発明は以上の構成によりなる。
本発明を使用する場合は、食器（１）に入っている飲食物を食べ終わり「おかわり」をしたいとき、飲み終わりもう一杯欲しいとき、または食器を下げて欲しいとき、食器の「おかわり」、「もう一杯」、「食器を下げて欲しい」などを意味する言葉、または模様（２）が入っている部分を意思表示したい相手がいる方向に向け、置く。
【図面の簡単な説明】
【０００７】
【図１】本発明の斜視図
【符号の説明】
【０００８】  （１）食器、（２）「おかわり」、「もう一杯」、「食器を下げて欲しい」などを意味する言葉、または模様
【図１】
2010022779.tif 000003
(57)【要約】【課題】  入浴時に台の上に洗面器やソ−プを置いて入浴し、使用後は折りたたんで収納することを特徴とした風呂用洗面用具台を提供する。【解決手段】  風呂浴槽の縁に掛けるための台を設け、台に脚を設ける。使用しない時は浴槽縁に台を折りたたみ、脚も折りたたむ。補助台として台の下に折りたたんだ小さめの台を入れ込み、使用の際は左右どちら側にも滑り出すことができる。本台と補助台が浴槽縁に掛けたまま一体となり、そのまま取り外すことができる。補助台が不要の時は本台から取り外し、本台のみで使用することができる。【選択図】図１
2010022783.tif 000002
【特許請求の範囲】
【請求項１】
浴槽の縁に取り付ける折り曲げ自在の挟み板の下方に丁番を介して洗面用具台を設け、洗面用具台の下に、利用しない時には浴槽側に折りたたんで収納するための脚を設けたことを特徴とする風呂用洗面用具台。
【請求項２】
洗面用具台の下面に補助台差し込み部を介して、補助台を着脱自在に設けたことを特徴とする［請求項１］記載の風呂用洗面用具台。
【発明の詳細な説明】
【技術分野】
【０００１】  本発明は、入浴時に腰をかがめないで洗面器を置き、身体やタオルを洗うなど風呂用洗面用具台に関するものである。
【背景技術】
【０００２】  従来  風呂桶は床に置き身体やタオルを洗っていた。または風呂用イスを利用していた。
【発明の開示】
【発明が解決しようとする課題】
【０００３】  入浴時に床に洗面器を置いて身体やタオルなど洗う場合、腰をかがめて洗わなければならず、首や腰に負担をかけていた。また風呂用イスを置く場合には、使わない時は狭い風呂場では邪魔になっていた。
本発明は以上の問題点を解決するためになされたものである。
【課題を解決するための手段】
【０００４】  上記問題点を解決するため本発明は、浴槽の縁に取り付ける折り曲げ自在の挟み板の下方に  丁番を介して洗面用具台を設け、洗面用具台の下に利用しないときには浴槽側に折りたたんで収納するための脚を設けたものである。また洗面用具台の下面に補助台差し込み部を介して、補助台を着脱自在に設けたものである。
風呂浴槽の縁にひっ掛けるための台を設け、台に脚を設ける。使用しない時は浴槽縁に台を折りたたみ、脚も折り畳む。
補助台として台の下に折り畳んだ小さめの台を入れ込む、補助台を使用の際は左右どちら側にも滑り出すことができる。
本台と補助台が浴槽縁にかけたまま一体となる。
本台と補助台が一体となったまま取り外すことができる。
本台と補助台は取り外すことができる。
以上の構成によりなる風呂用洗面用具台。
【発明の効果】
【０００５】  従来  入浴時に顔や身体を洗う時に床に置く洗面器を、約２０ｃｍ高くすることにより首や腰の痛い時などは特に楽に入浴できる。
ソ−プ等を置きたい場合は補助台を引き出す。
使用後は浴槽に掛けたまま収納できるので  バススツ−ルを置くスペ−ス、手入れなどの心配がなくなる。
不必要の際は折りたたんで取り外し、別の場所に置くこともできる。好きな位置に設置できるので、水道蛇口の下に付けることにより、洗い物も楽になる。
【発明を実施するための最良の形態】
【０００６】  以下、本発明の実施の形態を説明する。
図１に示したように
台（１）の一方に浴槽に折り曲げ部（１０）を介して折り曲げられた挟み板（９）を、丁番（７）（８）を介して設け、台（１）の三方にストッパ−（２）（３）（４）を設け、台（１）のストッパ−（３）の付近に磁石を設け、浴槽挟み板（９）に（５）の磁石と合う位置に鉄板（６）を設ける。
図２に示したように
台（１）裏に向かい合わせにストッパ−（１１）（１２）を設け、台（１）裏に向かい合わせに補助台差し込み部（１３）（１４）を設け、補助台差し込み部（１３）に磁石（１５）を設け、本台の脚  兼折り畳み板（１９）に鉄板（１６）を設け、本台の脚  兼折り畳み板（１９）に丁番（１７）（１８）を設ける。
図３、図４に示したように
補助台（２０）に仕切り線（２１）（２２）を設ける。
図５に示したように
補助台裏（２０）両側に丁番（２３）（２４）を介して脚（２５）（２６）を設ける。
図６に示したように
補助台脚をたたんだ場合はこのようになる。
本発明は以上のような構造である。
本発明を使用するときは、図１を開き  風呂浴槽に取り付け、本台の脚  兼補助台折り畳み板を出し、洗面器を乗せて使用する。
補助台を使用するときは、図１の裏から左右どちらかに滑り出し図４の（２５）（２６）を開き  補助台の脚としてソ−プ等を置いて使用する。
図３、図４の仕切り線（２１）（２２）とは、左または右に滑り出した時の境界線（ここまで出すという線）である。
【図面の簡単な説明】
【０００７】
【図１】  本発明の本台の表側から見た図
【図２】  本発明の本台の裏側から見た図
【図３】  本発明の補助台の表面図
【図４】  本発明の補助台の斜視図
【図５】  本発明の補助台の裏から見た斜視図
【図６】  本発明の補助台の脚をたたんだ状態を示した図
【符号の説明】
【０００８】  １  洗面用具台
２  ストッパ−
３  ストッパ−
４  ストッパ−
５  磁石
６  鉄板
７  丁番
８  丁番
９  浴槽挟み板
１０  折り曲げ部
１１  ストッパ−
１２  ストッパ−
１３  補助台差し込み部
１４  補助台差し込み部
１５  磁石
１６  鉄板
１７  丁番
１８  丁番
１９  本台の脚  兼折り畳み板
２０  補助台
２１  仕切り線
２２  仕切り線
２３  丁番
２４  丁番
２５  補助台脚
２６  補助台脚
【図１】
2010022783.tif 000003
【図２】
2010022783.tif 000004
【図３】
2010022783.tif 000005
【図４】
2010022783.tif 000006
【図５】
2010022783.tif 000007
【図６】
2010022783.tif 000008
(57)【要約】【課題】  透明性のあるものに切って張るだけで、適合具合や外見、用いる場面など、個人の要求に合う視力補正・トレーニング器具が作成できる、視力補正・トレーニングシールを提供する。【解決手段】  遮光性があり片面に粘着材のついたシール素材（１）に、ピンホール効果をもつ、ごく小さな透光部（２）を多数設けたことを特徴とする。【選択図】なし【特許請求の範囲】
【請求項１】
遮光性があり片面に粘着材のついたシール素材（１）に、ごく小さな透光部（２）を多数設けた視力補正・トレーニングシール。
【発明の詳細な説明】
【技術分野】
【０００１】  この発明は、遮光性があり片面に粘着材のついたシール素材に、ピンホール効果をもつ、ごく小さな透光部を多数設けた、視力補正・トレーニングシールに関するものである。
【背景技術】
【０００２】  従来、網膜の焦点深度を深めるピンホール効果は広く知られ、その原理は、視力補正・トレーニング器具に応用されていた。
【発明の開示】
【発明が解決しようとする課題】
【０００３】  これには次のような欠点があった。  ピンホール効果をもつ視力補正・トレーニング器具は多いが、適合具合や外見、用いる場面など、個人の要求にしっくりと合うものは少なかった。
【課題を解決するための手段】
【０００４】  透明性のあるものに、切って張るだけで、個人の要求に合う視力補正・トレーニング器具が作成できるように、遮光性があり片面に粘着材のついたシール素材（１）に、ピンホール効果をもつ、ごく小さな透光部（２）を多数設けた。  本発明は、以上の構成よりなる、視力補正・トレーニングシールである。
【発明の効果】
【０００５】  この発明により、個人は、別の透明性のあるものを下地にして、自分に合った視力補正・トレーニング器具を作成することができる。
【発明を実施するための最良の形態】
【０００６】  以下、本発明を実施するための最良の形態について説明する。  遮光性があり片面に粘着材のついたシール素材（１）に、ピンホール効果をもつ、ごく小さな透光部（２）を多数設ける。本発明は、以上の構成よりなる視力補正・トレーニングシールである。  自分に合った視力補正・トレーニング器具を作成したいと思う個人は、自分が使用したい別の透明性のあるもの、例えば、度のついていない眼鏡やゴーグル、透明な下敷き等を用意し、本発明を、好きな大きさや形に切り、適切なピンホール効果が得られる位置に張りつければよい。
(57)【要約】      （修正有）【課題】直接髪にヘアークリームや泡等が塗布され、手の平や指先の汚れをなくす美髪ブラシを提供する。【解決手段】ブラシ４はヘアークリーム泡容器３を備え、直接クリーム泡等が塗布され手の平や指先の汚れをなくす。また容器３は温風機、冷風機に取替え簡単に出来る。【選択図】図１
2010022789.tif 000002
【特許請求の範囲】
【請求項１】
本発明は、美髪ブラシ［図１］よりヘアークリーム染め泡等が髪に直接放出（塗布）する美髪ブラシ
【請求項２】
美髪ブラシは丸型［図３］角型でも髪用クリーム泡等が髪面直接放出（塗布）する事ができる美髪ブラシ
【請求項３】
今市販されている冷風器具［図３］上部を取替えできる美髪ブラシ
【発明の詳細な説明】
【技術分野】
【０００１】  本発明美髪ブラシはヘアークリーム泡等が美髪ブラシより直接放出（塗布）される美髪ブラシ
【背景技術】
【０００２】  髪クリーム泡等は手の平や指先での塗布で手が汚れて大変である。また、定常的でなかったのが一般的であった。
【発明の開示】
【発明が解決しようとする課題】
【０００３】  上記のように手の平や指先でのヘアークリーム泡等を髪に一定した塗布はできず、また手の平や指先の汚れが大変であった。本発明は以上の問題点を解決しようとするものである。
【課題を解決するための手段】
【０００４】  美髪ブラシは直接髪にヘアークリームや泡等が塗布され、手の平や指先の汚れをなくす定常的に塗布される美髪ブラシ【０００５】  美髪ブラシはヘアークリーム泡等が別々のチューブや容器に入り取替え［図２］できる美髪ブラシ
【発明の効果】
【０００６】  美髪ブラシはヘアークリーム泡等が定常的な塗布ができ、奥深く入り込み、手の平や指先の汚れがない美髪ブラシ
【発明の実施するための形態】
【０００７】  美髪ブラシは［図１］［図３］はヘアークリーム泡容器を備え、簡単に取替え容器で美髪ブラシに備える。
【０００８】  ［図３］は今市販されている温風機、冷風機に取替え簡単に出来る美髪ブラシになる。
【０００９】  ［図２］はヘアークリーム泡等の別々の容器に入り美髪ブラシに備え取替え簡単にできる。
【図面の簡単な説明】
【図１】横面から見た構造を示し図である
【図２】容器の横面を見た構造を示し図である
【図３】丸型正面から見た構造を示し図である
【符号の説明】
【００１】  １  本体  ２  手押  ３  容器（クリーム等オイル）  ４  ブラシ  ５  容器塗布口  ６  丸型本体上部  ７  容器入カナ塗布口  ８  下部取り外し枠
【図１】
2010022789.tif 000003
【図２】
2010022789.tif 000004
【図３】
2010022789.tif 000005
(57)【要約】【課題】  本発明は、麺類を茹でる時の調理用補助具であり、お湯を沸かしたとき、鍋底より湧き出してくる無数の小さな気泡を一旦気泡だまりに集め、大きな気泡に変え勢い良く放出する工夫を加え、フキコボレが発生しないようにした麺類を茹でるときのフキコボレ防止器具を提供する。【解決手段】  ドーム型の形状をした本体の鍋底と接する下部に、お湯の対流を良くするためのなぶりと呼ばれるへこみを複数設け、内壁天井部に鍋底から湧き出てくる無数の小さな気泡を集め、気泡だまりを設け、その下に気泡を大きくして放出するための貫通穴に複数あけることを特徴とした麺類を茹でるときのフキコボレ防止器具。【選択図】図１
2010022790.tif 000002
【特許請求の範囲】
【請求項１】
ドーム型の形状をした本体の鍋底と接する下部にお湯の対流を良くするためのなぶりと呼ばれるへこみを複数設け、内壁天井部に鍋底から湧き出てくる無数の小さな気泡を集め、気泡だまりを設け、その下に気泡を大きくして放出するための貫通穴を複数開けることを特徴とする麺類を茹でるときのフキコボレ防止器具。
【発明の詳細な説明】
【技術分野】
【０００１】  本発明は、麺類を茹でるときの調理用補助具であり、お湯を沸かしたとき、鍋底より湧き出してくる無数の小さな気泡を一旦気泡だまりに集め、大きな気泡に変え勢い良く放出する工夫を加え、フキコボレが発生しないようにした麺類を茹でるときのフキコボレ防止器具に関するものである。
【背景技術】
【０００２】  従来、麺類を茹でるときは、麺と麺がくっつかないようにするためにお湯を多くし、菜箸でよく攪拌し、さらに気泡のフキアガリが鍋のふちまで上昇する。
フキコボレ寸前にびっくり水を差し、鎮静化させる。
これを数回繰り返して茹で上げていた。
このときばかりは、目を離せず気も抜けず油断を許されない状況でした。
【発明の開示】
【発明が解決しようとする課題】
【０００３】  そのため、次のような問題点があった
（イ）  お湯を多くするために鍋を大きな物にしなければならない。
（ロ）  鍋の状況を目で見て菜箸で攪拌しなければならない。
（ハ）  フキコボレ寸前にびっくり水を差し、鎮静化しなければならなかった。
（ニ）  びっくり水が間に合わなければフキコボレが発生し鍋の外側、レンジまわりを汚し、ガスの場合ノズルを塞ぎ立ち消えから、ガス漏れの危険まで発展する可能性があった。
本発明は以上の問題点を解決しようとするものである。
【課題を解決するための手段】
【０００４】  ドーム型の形状をした本体の鍋底と接する下部に、お湯の対流を良くするためのなぶりと呼ばれるへこみを複数設ける。
内壁天井部に鍋底から湧き出てくる無数の小さな気泡を集める気泡だまりを設ける。
その下に気泡を大きくして放出するための貫通穴を複数開ける。
以上のように構成された麺類を茹でるときのフキコボレ防止器具である。
【発明の効果】
【０００５】  本発明は、麺類を茹でるときのフキコボレをなくすことで、お湯を多くしたり、鍋を大きな物にしたりする必要がなくなる。
鍋の状況を目で見て菜箸で攪拌しながらフキコボレを鎮静化するためのびっくり水を差したりする動作がなくなる。
したがって、フキコボレでびっくり水の用意や鍋の状況を油断なく見張っている必要がなくなる。
また、フキコボレによる鍋の外側やレンジまわりの汚れ焦げ付きなどの掃除のわずらわしさがなくなり、ガスの場合の立ち消えやガス漏れの危険もなくなる。
【発明を実施するための最良の形態】
【０００６】  以下、本発明の実施の形態について説明する。
ドーム型の形状をした本体（１）の鍋底と接する下部にお湯の対流を良くするためのなぶり（２）と呼ばれるへこみを複数設ける。
内壁天井部に鍋底から湧き出てくる無数の小さな気泡を集め、気泡だまりを設ける。
その下に気泡を大きくして放出するための貫通穴（３）を複数開ける。
以上のように構成された麺類を茹でるときのフキコボレ防止器具である。
本発明の使い方を説明する。
鍋（９）の中に、ドーム型の本体（１）をなぶり（２）を下側にして鍋底に置き、水を入れ加熱しお湯（８）になる。
鍋底から無数に湧き出す小さな泡（５）が上昇し、内壁天井に設けた気泡だまり（４）に一旦集められ、貫通穴（３）より大きな気泡（６）となり、勢いよく麺類（７）の間をすり抜けることで攪拌を同時に行って湯面に達し、はじけ割れる。
この結果湯面には気泡が集合せずフキコボレが発生しなくなる。
【図面の簡単な説明】
【０００７】
【図１】  本発明の斜視図である。
【図２】  本発明の使用状態を示した断面図である。
【図３】  本発明の側面図である。
【図４】  本発明の平面図である。
【図５】  本発明の断面図である。
【符号の説明】
【０００８】      １  本体
２  なぶり
３  貫通穴
４  気泡だまり
５  小さな気泡
６  大きな気泡
７  麺類
８  お湯
９  鍋
【図１】
2010022790.tif 000003
【図２】
2010022790.tif 000004
【図３】
2010022790.tif 000005
【図４】
2010022790.tif 000006
【図５】
2010022790.tif 000007
(57)【要約】      （修正有）【課題】すべての非侵襲的人工呼吸器は圧設定にて作動するため、圧がチューブの部位より漏れ出ることで効果的な換気を行うことが出来ない。侵襲的人工呼吸器のマスクで経管栄養などのチューブ等を使用する際に圧がもれず、効率のよい換気をできるようなマスクを提供する。【解決手段】侵襲的人工呼吸器のマスク１に穴を設け、そこからチューブ等２を出し、チューブと穴の隙間ができるため、圧がもれないように栓３をする。この状態で患者様に設置する。【選択図】図１
2010022786.tif 000002
【特許請求の範囲】
【請求項１】
非侵襲的人工呼吸器のマスク（１）に穴をあけ、穴からチューブ（２）を外に出すが、圧がもれないように栓（３）をしているマスク。
【発明の詳細な説明】
【技術分野】
【０００１】    この発明は、非侵襲的人工呼吸器のマスクの一部に圧の漏れないように穴を設けたマスクに関するものである。
【背景技術】
【０００２】    従来の非侵襲的人工呼吸器マスクは経管栄養チューブなど細い管をだす穴はなかった。
【発明の開示】
【発明が解決しようとする課題】
【０００３】    非侵襲的人工呼吸器人工呼吸器のマスクをつけている際には経腸栄養チューブなどを使用する際にマスクと顔面の付着する断面の部分よりチューブをだすより他になかった。
そのような場合ではすべての非侵襲的人工呼吸器は圧設定にて作動するため、圧がチューブの部位より漏れ出ることで効果的な換気を行うことが出来ない。
圧がもれない状態で経管栄養を施行するとすると圧設定を上昇させることで効果的な換気が出来ない。
本発明はそのような欠点を改善するようになされたものである。
【課題を解決するための手段】
【０００４】    非侵襲的人工呼吸器のマスク（１）の一部に穴を設け、穴からチューブ等（２）を出し、圧のもれない栓（３）をする。
本発明は、以上の構成よりなる穴つきマスクである。
【発明の効果】
【０００５】    客観的指標としては、圧のもれである機械のモニターであるリークが従来の製品による非侵襲的人工呼吸より本製品を使用することで軽減する。
チューブ等の顔面に接触することによる顔面の潰瘍の予防にもなる。
患者様への使用感にはなんら不快感などの悪影響を与えない。
【発明を実施するための最良の形態】
【０００６】    以下、本発明を実施するための最良の形態について説明する。
マスク（１）に穴を作成する。
穴から使用するチューブ等（２）を出す。
チューブと穴の隙間ができるため、栓（３）を取り付ける。
本発明は、以上のような構造である。
これをしようする時は、この状態で患者様に設置する。
【図面の簡単な説明】
【０００７】
【図１】マスクの前面図
【符号の説明】
【０００８】  （１）非侵襲的人工呼吸器用のマスク
（２）経腸栄養用をはじめとしたチューブ等
（３）栓
【図１】
2010022786.tif 000003
(57)【要約】【課題】歯周病の予防および改善を目的とし、歯肉の表側と裏側を同時に指圧およびマッサージを行うことを特徴とした歯肉指圧マッサージ器具に関するものである。【解決手段】略Ｕ字形状をしたフレームの開口先端部内側に半球形状の弾力性のある指圧マッサージ部を設け、握り部を操作することにより歯肉の表側と裏側を同時に指圧マッサージができる歯肉指圧マッサージ具。【選択図】図１
2010022787.tif 000002
【特許請求の範囲】
【請求項１】
略Ｕ字形状をしたフレームの開口先端部内側に半球形状の弾力性のある指圧マッサージ部を設け、握り部を操作することにより歯肉の表側と裏側を同時に指圧マッサージができる歯肉指圧マッサージ具。
【発明の詳細な説明】
【技術分野】
【０００１】  本発明は、歯周病の予防および改善を目的とし、歯肉の表側と裏側を同時に指圧およびマッサージを行うことを特徴とした歯肉指圧マッサージ器具に関するものである。
【背景技術】
【０００２】  従来は、歯肉指圧マッサージを行う場合、自らの親指と人差し指を口腔内に挿入し歯肉の表側と裏側を摘む要領で指圧マッサージをしていた。
なお、歯ブラシ状の歯肉マッサージ器具の発明が知られている（特許文献１）。
【特許文献１】特許公開２０００−１０７２０６
【発明が解決しようとする課題】
【０００３】  従来より、次のような問題点があった。
（イ）指を直接口腔内に挿入するため、衛生面での抵抗感があった。
（ロ）奥歯の歯肉を指圧マッサージする場合、指が届きにくくマッサージ効果が得られにくかった。
（ハ）歯ブラシ状のマッサージ器具では指圧力が弱くマッサージ効果が得られにくく、歯肉の表裏を指圧マッサージするに労力と時間がかかる。
本発明は以上の問題点を解決しようとするものである。
【課題を解決するための手段】
【０００４】  略Ｕ字形状をしたフレームの開口先端部内側に半球形状の弾力性のある指圧マッサージ部を設け、握り部を操作することにより歯肉の表側と裏側を同時に指圧マッサージができる歯肉指圧マッサージ具。
【発明の効果】
【０００５】  本発明は、歯肉の表側および裏側を同時に指圧マッサージができることにより歯周病予防やその改善に効果が得られる。
奥歯のように指の届きにくい箇所のマッサージも容易にすることができ、従来の指での歯肉マッサージは衛生面での抵抗感があったため洗面所もしくはお風呂などでマッサージをしていたが本発明は時と場所を拘束されずにすることができる。
【発明を実施するための最良の形態】
【０００６】以下、本発明の実施の形態を説明する。
【実施例１】（イ）略Ｕ字形状をした樹脂素材もしくはスチール素材で形成した指圧マッサージ器具（１）である。
（ロ）開口先端部（３）と握り部（４）で構成される。
（ハ）指圧マッサージ器具の開口先端部（３）内側に、樹脂製もしくはゴム製弾力性素材の半球形状をした指圧マッサージ部（２）を設ける。
【実施例２】（イ）支軸（５）で交差する樹脂素材もしくはスチール素材で形成したペンチ状の指圧マッサージ器具（１）である。
（ロ）開口先端部（３）と握り部（４）で構成される。
（ハ）指圧マッサージ器具の開口先端部（３）内側に、樹脂製もしくはゴム製弾力性素材の半球形状をした指圧マッサージ部（２）を設ける。
（ニ）握り部（４）内側の支軸部（５）下の位置にバネ部（６）を設ける。
本発明は、以上の構成よりなっている。
本発明を使用するときは、指圧マッサージをする歯肉部位の表側と裏側に指圧マッサージ部（２）をあて握り部（４）を握りしめることにより歯肉を押圧する。
また、歯肉用ジェルや研磨剤の入ってない歯磨きペーストなどを塗り、歯肉マッサージをする。
握りの強度調整により最良の指圧マッサージを少ない力で行うことができる。
【図面の簡単な説明】
【０００７】
【図１】本発明実施例１の斜視図
【図２】本発明実施例２の斜視図
【図３】本発明実施例１の使用状態を示す斜視図
【符号の説明】
【０００８】  １  指圧マッサージ器本体
２  指圧マッサージ部
３  開口先端部
４  握り部
５  支軸
６  バネ部
【図１】
2010022787.tif 000003
【図２】
2010022787.tif 000004
【図３】
2010022787.tif 000005
(57)【要約】【課題】  回転させると心棒が踊るような動作をする踊り独楽を提供する。【解決手段】独楽本体である円柱の重心を通る様に心棒を挿し込み、心棒を垂直に立て独楽本体と共に回転を与えると、歳差運動による自転と公転の作用により、心棒は手を上下させながら踊っていると見え、心を楽しませかつ剛体運動での歳差運動での公転・自転と慣性モーメント・ジャイロ効果の関係を理解させる事を特徴とする踊り独楽。【選択図】図１
2010022797.tif 000002
【特許請求の範囲】
【請求項１】
独楽本体である円柱の円周上から重心を通る様に心棒を挿し込み、心棒を垂直に立て独楽本体と共に回転を与えると、歳差運動による自転と公転の作用により、心棒は手を上下させながら踊っていると見え、心を楽しませかつ剛体運動での歳差運動に関する公転・自転と慣性モーメント・ジャイロ効果の関係を理解させる事を特徴とする踊り独楽。
【請求項２】
円柱の中心軸回りの慣性モーメントを、それに直角方向の慣性モーメントより大きくした踊り独楽、小さくした踊り独楽、同じにした踊り独楽。
【請求項３】
独楽本体を円筒又は鼓形又はビヤ樽形にした請求項１の踊り独楽。
【請求項４】
心棒を複数本にした請求項１の踊り独楽。
【請求項５】
独楽本体に発光器具を内蔵させ本体又は心棒を光らせるようにした請求項１の踊り独楽。
【発明の詳細な説明】
【技術分野】
【０００１】  本発明は、回転させた独楽の心棒が動く様子を見て楽しみ、同時に歳差運動を理解するための踊り独楽に関するものである。
【背景技術】
【０００２】  従来、円盤状独楽での歳差運動は、円盤状独楽の中心軸の味噌摺り運動に主眼が置かれ、自転は二次的な取り扱いになっていた。
【発明の開示】
【発明が解決しようとする課題】
【０００３】  そのために、次のような問題点があった。
（イ）円盤状独楽では、接地点を重心直下に置けないので、横転モーメントを無くする事      は出来ない。
（ロ）円盤状独楽でのジャイロ効果は、主として地面反力による大きい横転モーメントと      の釣り合いに使われるので、円盤中心軸まわりの慣性モーメントのみで考えて支障      がない。  このため結果的には、中心軸に直角方向の慣性モーメントの影響は軽視      される事が多い。
（ハ）歳差運動は公転と自転で構成されるが、円盤状独楽で自転を視認することは困難で      ある。
本発明は、これらの問題点を解決しようとするものである。
【課題を解決するための手段】
【０００４】  独楽本体の円柱の円周上から心棒が重心を通るように挿し込む。  そして、回転させたときの心棒の動きを見て楽しみつつ、剛体運動への関心を呼び出す。  以上を特徴とする踊り独楽。
【発明の効果】
【０００５】  心棒を垂直に立てて回転させると、円柱は重心の直下に接地点を置いて歳差運動をする。中心軸回りの慣性モーメントとそれに直角方向の慣性モーメントの差によるジャイロ効果を釣り合わせるために自転がおきる。  自転は心棒が中心軸まわりに動く状態を見ることで確認できる。  同時に公転をするため、心棒が垂直になっている時は手を上げているように見え、心棒が水平になっている時は手を開いているように見えるため、踊ってようであり、楽しみつつ、自転・公転・ジャイロ効果・慣性モーメントの関係を把握できる。
【発明を実施するための最良の形態】
【実施例１】
【０００６】  以下、本発明の実施例１の形態について説明する。
（イ）踊り独楽本体（１）は円柱であり、指で回わす事が可能な程度のものとする。  円      柱の中心軸回りの慣性モーメントは、中心軸に直角方向の慣性モーメントより若干      大きくする。
（ロ）心棒（２）は円柱の円周上から重心を通るように挿し込み結合させる。  但し、そ      の慣性モーメントは、本体のそれより充分小さい材料にする。
本発明は以上のような構成で、これを使用するときは、滑らかな板上で心棒を垂直に立て回す。  与えた回転は公転である。  独楽は接地点を重心の直下に置き回転するが、中心軸回りの慣性モーメントとそれに直角方向の慣性モーメントの差によるジャイロ効果を釣り合わせるために自転を始める。  中心軸回りの慣性モーメントは直角方向のそれより若干だけ大きいので、自転は公転の中心軸成分方向と逆方向でかつ遅い。  このため心棒は緩やかに自転しつつ激しく公転し、見る者にとっては手を上下させ踊っていると見える。心棒の動き見るだけで、公転・自転・両慣性モーメントの差・ジャイロ効果を認識しつつ楽しむ事ができる。
【実施例２】
【０００７】  円柱の中心軸回りの慣性モーメントを中心軸に直角方向の慣性モーメントより小さくする。  この場合は、自転は公転の中心軸成分方向と同じ方向になる。
【実施例３】
【０００８】  円柱の中心軸回りの慣性モーメントを中心軸に直角方向の慣性モーメントと同じにする。この場合は、自転せず心棒は垂直に立ったままである。  実施例１・２・３を一組として使えば、公転・自転・両慣性モーメントの差・ジャイロ効果の認識をより明確にできる。
【実施例４】
【０００９】  円柱の形状を円筒形にする。
【実施例５】
【００１０】  円柱の形状を鼓形に変形する。
【実施例６】
【００１１】  円柱の形状をビヤ樽形に変形する。
【実施例７】
【００１２】  心棒を、複数本にする。
【実施例８】
【００１３】  独楽本体内部に電池（３）・ＬＥＤ（４）を内蔵し、独楽本体を発光させる。  透光性心棒（５）に導光して発光させる。
【図面の簡単な説明】
【００１４】
【図１】本発明の実施例１の斜視図
【図２】本発明の実施例１での独楽回転時での本体の回転及び心棒の動きを示す図
【図３】本発明の実施例４を示す斜視図
【図４】本発明の実施例５を示す斜視図
【図５】本発明の実施例６を示す斜視図
【図６】本発明の実施例７を示す斜視図
【図７】本発明の実施例８を示す側面図
【符号の説明】
【００１５】    １  踊り独楽本体
２  心棒
３  電池
４  ＬＥＤ
５  透光性心棒
【図１】
2010022797.tif 000003
【図２】
2010022797.tif 000004
【図３】
2010022797.tif 000005
【図４】
2010022797.tif 000006
【図５】
2010022797.tif 000007
【図６】
2010022797.tif 000008
【図７】
2010022797.tif 000009
(57)【要約】【課題】回転対象物の荷重の負荷により天板を回転できる回転機能装置を得る。【解決手段】回転用ガイドｄは天板ｂへの重力の付加を受けたスプリングの弾性反発力を動力ととし、天板ｂに設けられた誘導ステーと台座ｃに設けられた誘導ステー受け金具との接触による所定の角度移動を利用し、台座ｃに設けられたガイド用ベアリング受けステーｊに設置されたガイド用ベアリングｅに、回転用ガイドの斜辺を接触移動させる事により、回転対象物を回転し得る様に設定したものである。【選択図】図１
2010022794.tif 000002
【特許請求の範囲】
【請求項１】
誘導ステー受け金具１が一片に設けられた台座ｂと回転対象が載置される、裏面に誘導ステーｋが設けられた天板ａと、該天板ａの下方に中心の一端が前記天板ａとの中心と回転可能に当接する円柱形のシャフトｅと、該シャフトｅの他端が挿通されるシャフトカラーｆと、前記シャフトｅが貫通する貫通孔を有し前記天板ａと連結する複数の回転用ガイド固定ボルトｊを有し、辺が傾斜しており斜辺の終端に溝を有する回転用ガイドｃと、前記台座ｂ上両端にガイド用ベアリング受けステーｈが設けられ、該ガイド用ベアリング受けステーｈ上部にはガイド用ベアリングｄが設置され前記回転用ガイドｃの斜辺に接しており前記シャフトカラーｆの外周に前記回転用ガイドｃを上方に弾性反発力によって移動し得るスプリングｇを有し、前記回転用ガイドｃにはラチェットｎが設けられており、該ラチェットｎに沿って固定板ｍが前記ガイド用ベアリング受けステーｈに設置されており前記回転用ガイドｃの反転を防ぎ前記固定板ｍは前記回転用ガイドｃの上下の移動時にもラチェット機構が損なわない様、該ラチェットｎ  の昇降ストローク幅を有する板であり、前記天板ａに回転対象が載置された際の加重で前記スプリングｇが収縮し前記誘導ステーｋが前記誘導ステー受け金具１に接触し該誘導ステー受け金具１の斜辺に沿って滑る事により、前記回転用ガイドｃの斜辺頂点を前記ガイド用ベアリングｄに接する様に、前記誘導ステーｋと前記誘導ステー受け金具１の各頂点の位置が決められており、前記天板ａへの加重が除かれた時、前記ガイド用ベアリングｄが前記回転用ガイドｃの斜辺の頂点より前記スプリングｇの弾性反発力により、前記回転用ガイドｃの終端の溝へ移動する事により該回転用ガイドｃの回転を停止させる事を特徴とする回転機能装置。
【発明の詳細な説明】
【技術分野】
【０００１】本発明はスプリングの動力を利用し加重の増減に必要な角度に回転、停止させる回転機能装置に関する。
【背景技術】
【０００２】不特定多数の使用がなされる公衆の場で使用した履物を手で触れ揃えるという行為は不衛生であり又、家庭や福祉施設等において老人や身障者の方の中には腰を屈める事が困難な方もおられ、履物を揃える行為が危険で苦痛を伴うことがある。この様な履物を揃える装置の一例として、特許文献１の履物回転装置が公知である。この回転装置は検出スイッチにより人の回転台に荷重が加えられた時はリセット信号を、荷重が取り除かれた時はトリガー信号を回転台を駆動させるモーターに与えタイマー回路によって所定時間経過後に回転台を１８０度回転させる様に構成したものである。【０００３】しかし特許文献１の「履物回転装置」はタイマー、モーターの設定により回転させる為、電力を必要とし所定時間を定められる場所での使用にしか向かず、時間の設定を誤ると全く意味をなさない為、実用性を欠き普及には至らない。
【特許文献１】特開２００５−２２４２９６
【発明の開示】
【発明が解決しようとする課題】
【０００４】この考案は上記の問題に留意し、動力源がスプリングの為エコロジーであり半永久的に必要な角度に回転動作を繰り返す装置を提供することを課題とする。
【課題を解決するための手段】
【０００５】この考案は上記の課題を解決する手段として、回転対象物を載置する天板と、この天板を上下に移動させるスプリングと、このスプリングの動力を利用し天板を回転、停止させる回転用ガイドとガイド用ベアリングと、上記天板を支えるシャフトが設けられた台座と上記天板と回転用ガイドを連結する回転用ガイド固定ボルトとが設けられ、上記天板には誘導ステーを設けており、上記台座に設けられた誘導ステー受け金具の傾斜に沿って所定の角度へ上記誘導ステーが移動する事により、上記回転用ガイドと、上記ガイド用ベアリングを所定の位置に接触させ、上記天板を回転、停止し得るように設定した回転機能装置である。【０００６】上記の構成としたこの考案の回転機能装置によれば、天板への加重の変化により天板を回転、停止する為、回転対象物を所定の角度に移動できる。
【発明の効果】
【０００７】この発明の回転機能装置は、回転用ガイドの直径を変更し回転用ガイドの斜辺の傾斜角度を変える事により速度の調整が可能にする事が出来た。
【発明を実施するための最良の形態】
【０００８】以下、この考案の実施の形態について図面を参照して説明する。
図１は本発明の正面図である。図１においては、天板ａに重量がかかりスプリングｇが下方に縮むと天板ｂの裏側に設けられた誘導ステーｋが台座ｂの一辺に設けられた誘導ステー受け金具１に接触し誘導ステー受け金具１の斜面沿って所定の角度移動する事により、回転用ガイドｃの斜辺の頂点がガイド用ベアリングｄに接触し重量付加がなくなった時、スプリングｇの弾性反発力により、ガイド用ベアリングｄに接触していた、回転用ガイドｃの斜辺の頂点が斜辺の終端に設けられた溝に移動し、回転用ガイドｃの回転が停止する。【０００９】誘導ステーｋは重力が負荷時にガイド用ベアリングｄを回転用ガイドｃの頂点に誘導する為に又、誘導ステー受け金具１に滑り込むことで不必要な回転をしない様になっており、シャフトｅを受けるシャフトカラーｆは天板ａがスムーズに上下の運動を行える様に設けられいている。
【産業上の利用可能性】
【００１０】この考案の自動回転機能装置は、装置を設置しえる場所であって、回転対象物を履物とした場合、履物を脱ぎ履きする必要のある場所に広く利用され、一般家庭においても来客用、家庭用として利用される。又、対象物を回転させると有効である所に広く活用できる。
【図面の簡単な説明】
【００１１】
【図１】  本発明の正面図
【図２】  本発明の背面図
【図３】  本発明の加重が掛かった時の正面図
【図４】  本発明の加重が掛かった時の背面図
【符号の説明】
【００１２】ａ  天板
ｂ  台座
ｃ  回転用ガイド
ｄ  ガイド用ベアリング
ｅ  シャフト
ｆ  シャフトカラー
ｇ  スプリング
ｈ  ガイド用ベアリング受けステー
ｉ  ベアリング
ｊ  回転用ガイド固定ボルト
ｋ  誘導ステー
ｌ  誘導ステー受け金具
ｍ  固定板
ｎ  ラチェット
【図１】
2010022794.tif 000003
【図２】
2010022794.tif 000004
【図３】
2010022794.tif 000005
【図４】
2010022794.tif 000006
(57)【要約】      （修正有）【課題】スポンジまたはシリコンゴム等の弾性のある薄い板に凸部をもうけたサンダルのストラップ、パンプス等の脱落滑り止めを提供する。【解決手段】スポンジまたはシリコンゴム等の弾性のある薄い板に凸部をもうける。その弾性体は、外側のくるぶし下凹部分と、内側のくるぶし下凹部分にフィットする様、左右別々に取り付ける形状にする事を特徴とする。【選択図】図１
2010022791.tif 000002
【特許請求の範囲】
【請求項１】
スポンジまたはシリコンゴム等の弾性のある薄い板に凸部をもうけたサンダルのストラップ、パンプス等の脱落滑り止め
【発明の詳細な説明】
【技術分野】
【０００１】この発明は女性のサンダルストラップ及びパンプスの脱落滑り止めに関する
【背景技術】
【０００２】靴の踵部分の遊離や、サンダルストラップの脱落防止の為、スポンジゴム等を靴底、またアキレス腱部分に貼っていた。
【発明の開示】
【発明が解決しようとする課題】
【０００３】これには次のような欠点があった。
女性の靴は踵が高いものが多く、甲の部分も大きくカットされたデザインが多い。
その為歩いている内に靴の中で足が前方に滑り易く、踵部分に隙間が出来、靴底の滑り止めやアキレス腱部分のスポンジテープでは踵部分の遊離は止められず、引きずる様な歩き方になり、足に負担が掛かる。
ストラップサンダルの場合は、ストラップが脱落し、ストラップを踏んでしまう事がある。
【課題を解決するための手段】
【０００４】足のくるぶし下の凹部分にフィットするよう、凸をもうけたスポンジまたはシリコンゴム等弾性体を、靴の側面またはストラップに貼る。
この弾性体は、足のくるぶし下の凹部分に、凸をもうけた等弾体をより良くフィットさせる為に、外側のくるぶし下凹部分に当てるものと、内側のくるぶし下凹部分に当てるものを左右別々に取り付ける。
【発明の効果】
【０００５】くるぶし下の凹部分に凸をもうけた弾性体を当てる事により、凸が凹部分に引っ掛かり、足が靴の中で前方に滑って行っても、靴踵部分が足から遊離する事を防ぎ、またストラップが脱落するのを防ぐ。
この弾性体は、外側のくるぶし下凹部分に当てるものと、内側のくるぶし下凹部分に当てるものを左右別々に取り付ける事により、歩行時の足くるぶしや踵部の形状の変化を受けても、凸が凹部分に引っ掛かり、靴踵部分が足から遊離する事を防ぎ、またストラップが脱落するのを防ぐ。
凸を凹部分に引っ掛けて靴の遊離及びストラップが脱落を防ぐ為、足を締め付る必要がない。
【発明を実施するための最良の形態】
【実施例】
【０００６】側面が伸びてあまくなったパンプス、一度踏んでしまい折れ線が付いてしまったサンダルのストラップに、サンダル及びパンプスの脱落滑り止めを付けて歩いたが、靴の踵部が遊離する事なく充分に使用する事が出来た。
【産業上の利用可能性】
【０００７】女性の靴は踵が高く足を包む部分が少ない為、靴の中で足が前方に移動し易く、また力の掛かる範囲が前方部分に集中し皮が伸びやすい。その様な構造上、直ぐに足に合わなくなり易い。足に合わず、踵が遊離してしまうパンプスや、ストラップが脱落してしまうサンダルに、脱落滑り止めを取り付ける事により、靴及びストラップの脱落を防ぎ、足に無理な力を掛ける事なく歩きやすかった。
【図面の簡単な説明】
【図１】  本発明の斜視図である。
【符号の説明】
１  パンプスの脱落滑り止め
２  サンダルストラップの脱落滑り止め
【図１】
2010022791.tif 000003
【図２】
2010022791.tif 000004
【手続補正書】
【提出日】平成20年9月26日(2008.9.26)
【手続補正１】
【補正対象書類名】明細書
【補正対象項目名】全文
【補正方法】変更
【補正の内容】
【発明の詳細な説明】
【技術分野】
【０００１】この発明は女性のサンダルストラップ及びパンプスの脱落滑り止めに関する
【背景技術】
【０００２】靴の踵部分の遊離や、サンダルストラップの脱落防止の為、スポンジゴム等を靴底、またアキレス腱部分に貼っていた。
【発明の開示】
【発明が解決しようとする課題】
【０００３】これには次のような欠点があった。
女性の靴は踵が高いものが多く、甲の部分も大きくカットされたデザインが多い。
その為歩いている内に靴の中で足が前方に滑り易く、踵部分に隙間が出来、靴底の滑り止めやアキレス腱部分のスポンジテープでは踵部分の遊離は止められず、引きずる様な歩き方になり、足に負担が掛かる。
ストラップサンダルの場合は、ストラップが脱落し、ストラップを踏んでしまう事がある。
【課題を解決するための手段】
【０００４】足のくるぶし下の凹部分にフィットするよう、凸をもうけたスポンジまたはシリコンゴム等弾性体を、靴の側面またはストラップに貼る。
この弾性体は、足のくるぶし下の凹部分に、凸をもうけた等弾体をより良くフィットさせる為に、外側のくるぶし下凹部分に当てるものと、内側のくるぶし下凹部分に当てるものを左右別々に取り付ける。
【発明の効果】
【０００５】くるぶし下の凹部分に凸をもうけた弾性体を当てる事により、凸が凹部分に引っ掛かり、足が靴の中で前方に滑って行っても、靴踵部分が足から遊離する事を防ぎ、またストラップが脱落するのを防ぐ。
この弾性体は、外側のくるぶし下凹部分に当てるものと、内側のくるぶし下凹部分に当てるものを左右別々に取り付ける事により、歩行時の足くるぶしや踵部の形状の変化を受けても、凸が凹部分に引っ掛かり、靴踵部分が足から遊離する事を防ぎ、またストラップが脱落するのを防ぐ。
凸を凹部分に引っ掛けて靴の遊離及びストラップが脱落を防ぐ為、足を締め付る必要がない。
【発明を実施するための最良の形態】
【実施例】
【０００６】側面が伸びてあまくなったパンプス、一度踏んでしまい折れ線が付いてしまったサンダルのストラップに、サンダル及びパンプスの脱落滑り止めを付けて歩いたが、靴の踵部が遊離する事なく充分に使用する事が出来た。
【産業上の利用可能性】
【０００７】女性の靴は踵が高く足を包む部分が少ない為、靴の中で足が前方に移動し易く、また力の掛かる範囲が前方部分に集中し皮が伸びやすい。その様な構造上、直ぐに足に合わなくなり易い。足に合わず、踵が遊離してしまうパンプスや、ストラップが脱落してしまうサンダルに、脱落滑り止めを取り付ける事により、靴及びストラップの脱落を防ぎ、足に無理な力を掛ける事なく歩きやすかった。
【図面の簡単な説明】
【図１】  本発明のパンプス用脱落滑り止めの斜視図である。
【図２】  本発明のパンプス用脱落滑り止めの実施例を示す斜視図である。
【図３】  本発明のサンダルストラップ用脱落滑り止めの斜視図である。
【図４】  本発明のパンプス用脱落滑り止めの実施例を示す斜視図である。
【符号の説明】
１  突起部分
２  シート部分
【手続補正２】
【補正対象書類名】図面
【補正対象項目名】全図
【補正方法】変更
【補正の内容】
【図１】
2010022791.tif 000005
【図２】
2010022791.tif 000006
【図３】
2010022791.tif 000007
【図４】
2010022791.tif 000008